(57)【要約】【課題】通信回線を介して信号のチャネルを受信できる受信モジュールＵＲｘ；ＤＲｘを備えるモデムＭＣＯ；ＭＣＰＥを含む遠隔通信配置を提供すること。【解決手段】この構成は、好ましくは、ｘＤＳＬプロトコルに従って動作する。各モデムの受信モジュールの記憶手段ＵＳＮ、ＤＳＮ；ＬＤＮは、チャネルの動作状態、好ましくは、その「最悪ケース」に対応する「チャネル状態モデル」を記憶する。チャネル状態モデルは、チャネルの事前測定動作によって、および／またはモデム外部で管理されるチャネル状態モデルによって決定され、モデムの初期化の前に記憶手段に記憶される。別の変形形態においては、チャネル状態モデルは、雑音レベル、信号対雑音比、チャネルの搬送波当たりの実ビットローディングもしくは最大ビットローディングｂｉのモデルである。チャネル状態モデルはさらに、初期化中またはショータイム中に規則的な時間間隔で更新される。【選択図】      図１
2005278150.tif 000002
【特許請求の範囲】
【請求項１】
制御モジュール（ＣＣＯ；ＣＣＰＥ）に結合された受信モジュール（ＵＲｘ；ＤＲｘ）を有するモデム（ＭＣＯ；ＭＣＰＥ）を含む遠隔通信配置であって、
前記受信モジュールは、通信回線（ＬＮ）を介して少なくとも１つのチャネルを受信するように構成され、前記チャネルは、変更可能なビットロードを有する変調信号によってデータを転送するように構成され、
前記制御モジュールは、前記受信モジュールによって使用されるビットロードを、現時のビットローディングの直前にモデムによって実行される現時の測定に応じて変更するように構成され、
前記制御モジュール（ＣＣＯ；ＣＣＰＥ）がさらに、前記受信モジュール（ＵＲｘ；ＤＲｘ）によって使用されるビットロードを、現時の測定とは独立のビットローディングチャネル状態モデル（ＢＣＣＭＣＯ；ＢＣＣＭＣＰＥ）に応じても変更するように構成されることを特徴とする遠隔通信配置。
【請求項２】
前記ビットローディングチャネル状態モデル（ＢＣＣＭＣＯ；ＢＣＣＭＣＰＥ）が、前記モデム（ＭＣＯ；ＭＣＰＥ）による測定を介して事前に取得した少なくとも１つの測定ビットローディングチャネル状態モデル（ＵＭＣＣＭ；ＤＭＣＣＭ）に応じたものであることを特徴とする請求項１に記載の遠隔通信配置。
【請求項３】
前記測定ビットローディングチャネル状態モデル（ＵＭＣＣＭ；ＤＭＣＣＭ）が、前記チャネルの雑音レベルのモデルであることを特徴とする請求項２に記載の遠隔通信配置。
【請求項４】
前記測定ビットローディングチャネル状態モデル（ＵＭＣＣＭ；ＤＭＣＣＭ）が、前記チャネルの信号対雑音比のモデルであることを特徴とする請求項２に記載の遠隔通信配置。
【請求項５】
前記測定ビットローディングチャネル状態モデル（ＵＭＣＣＭ；ＤＭＣＣＭ）が、前記チャネルの実ビットロードのモデルであることを特徴とする請求項２に記載の遠隔通信配置。
【請求項６】
前記測定ビットローディングチャネル状態モデル（ＵＭＣＣＭ；ＤＭＣＣＭ）が、前記チャネルの少なくとも１つのパラメータの数学的関数のモデルであることを特徴とする請求項２に記載の遠隔通信配置。
【請求項７】
前記測定ビットローディングチャネル状態モデル（ＵＭＣＣＭ；ＤＭＣＣＭ）が、前記チャネルの少なくとも１つのパラメータの「最悪ケース」チャネル状態のモデルであることを特徴とする請求項２に記載の遠隔通信配置。
【請求項８】
前記ビットローディングチャネル状態モデル（ＢＣＣＭＣＯ；ＢＣＣＭＣＰＥ）は、第１の管理チャネル状態モデル（ＵＭＧＣＣＭ１；ＤＭＧＣＣＭ）に応じたものであり、第１の管理チャネル状態モデルは、モデム外部の管理装置（ＭＧＣＯ；ＭＧＣＰＥ）によってモデム（ＭＣＯ；ＭＣＰＥ）に転送される第２の管理チャネル状態モデル（ＵＭＧＣＣＭ２；ＤＭＧＣＣＭＣＯ、ＤＭＧＣＣＭＣＰＥ）に応じたものであることを特徴とする請求項１に記載の遠隔通信配置。
【請求項９】
前記第２の管理チャネル状態モデル（ＵＭＧＣＣＭ２；ＤＭＧＣＣＭＣＯ、ＤＭＧＣＣＭＣＰＥ）が、前記チャネルの雑音レベルのモデルであることを特徴とする請求項８に記載の遠隔通信配置。
【請求項１０】
前記第２の管理チャネル状態モデル（ＵＭＧＣＣＭ２；ＤＭＧＣＣＭＣＯ、ＤＭＧＣＣＭＣＰＥ）が、前記チャネルの信号対雑音比のモデルであることを特徴とする請求項８に記載の遠隔通信配置。
【請求項１１】
前記第２の管理チャネル状態モデル（ＵＭＧＣＣＭ２；ＤＭＧＣＣＭＣＯ、ＤＭＧＣＣＭＣＰＥ）が、マルチキャリア変調（ＭＣＭ）を使用するモデムの各搬送波の実ビットロードのモデルであることを特徴とする請求項８に記載の遠隔通信配置。
【請求項１２】
前記第２の管理チャネル状態モデル（ＵＭＧＣＣＭ２；ＤＭＧＣＣＭＣＯ、ＤＭＧＣＣＭＣＰＥ）が、マルチキャリア変調（ＭＣＭ）を使用するモデムの各搬送波の最大許容ビットロードのモデルであることを特徴とする請求項８に記載の遠隔通信配置。
【請求項１３】
前記第２の管理チャネル状態モデル（ＵＭＧＣＣＭ２；ＤＭＧＣＣＭＣＯ、ＤＭＧＣＣＭＣＰＥ）が、前記チャネルの少なくとも１つのパラメータの数学的関数のモデルであることを特徴とする請求項８に記載の遠隔通信配置。
【請求項１４】
前記第２の管理ビットローディングチャネル状態モデル（ＵＭＧＣＣＭ２；ＤＭＧＣＣＭＣＯ、ＤＭＧＣＣＭＣＰＥ）が、前記チャネルの少なくとも１つのパラメータの「最悪ケース」チャネル状態のモデルであることを特徴とする請求項８に記載の遠隔通信配置。
【請求項１５】
前記制御モジュール（ＣＣＯ；ＣＣＰＥ）が、前記測定ビットローディングチャネル状態モデル（ＵＭＣＣＭ；ＤＭＣＣＭ）に応じて、および前記第１の管理チャネル状態モデル（ＵＭＧＣＣＭ１；ＤＭＧＣＣＭ）に応じて、前記ビットローディングチャネル状態モデル（ＢＣＣＭＣＯ；ＢＣＣＭＣＰＥ）を記憶するように構成されたモデム記憶手段（ＵＭＳ；ＤＭＳ）を含むことを特徴とする請求項２および８に記載の遠隔通信配置。
【請求項１６】
前記管理装置（ＭＧＣＯ；ＭＧＣＰＥ）が、前記第２の管理チャネル状態モデル（ＵＭＧＣＣＭ２、ＤＭＧＣＣＭＣＯ；ＤＭＧＣＣＭＣＰＥ）を記憶するように構成された管理記憶手段（ＵＳＮ、ＤＳＮ；ＬＤＮ）を含むことを特徴とする請求項８に記載の遠隔通信配置。
【請求項１７】
前記ビットローディングチャネル状態モデル（ＢＣＣＭＣＯ；ＢＣＣＭＣＰＥ）が、モデム（ＭＣＯ；ＭＣＰＥ）の初期化フェーズ中に更新されることを特徴とする請求項１に記載の遠隔通信配置。
【請求項１８】
前記ビットローディングチャネル状態モデル（ＢＣＣＭＣＯ；ＢＣＣＭＣＰＥ）が、ユーザデータが伝送されている間に更新されることを特徴とする請求項１に記載の遠隔通信配置。
【請求項１９】
前記変調が、マルチキャリア変調（ＭＣＭ）であることを特徴とする請求項１に記載の遠隔通信配置。
【請求項２０】
前記変調が、シングルキャリア変調（ＳＣＭ）であることを特徴とする請求項１に記載の遠隔通信配置。
【請求項２１】
前記変調が、ベースバンド変調（ＢＢＭ）であることを特徴とする請求項１に記載の遠隔通信配置。
【請求項２２】
モデム（ＭＣＯ）が、遠隔通信配置の中央局（ＣＯ）側に配置され、
前記モデムの受信モジュールが、前記モデムの制御モジュール（ＣＣＯ）に結合されたアップストリーム受信モジュール（ＵＲｘ）であり、
前記制御モジュール（ＣＣＯ）のモデム記憶手段（ＵＭＳ）が、アップストリームビットローディングチャネル状態モデルであるビットローディングチャネル状態モデル（ＢＣＣＭＣＯ）を記憶するように構成されることを特徴とする請求項１５に記載の遠隔通信配置。
【請求項２３】
管理装置（ＭＧＣＯ）も、遠隔通信配置の中央局（ＣＯ）側に配置されて、前記モデム（ＭＣＯ）に結合され、
前記管理装置（ＭＧＣＯ）が、第２のアップストリーム管理チャネル状態モデル（ＵＭＧＣＣＭ２）である第２の管理チャネル状態モデルを記憶するように構成されたアップストリーム管理記憶手段（ＵＳＮ）を有することを特徴とする請求項１６および２２に記載の遠隔通信配置。
【請求項２４】
モデム（ＭＣＰＥ）が、遠隔通信配置の顧客宅内装置（ＣＰＥ）側に配置され、
前記モデムの受信モジュールが、前記モデムの制御モジュール（ＣＣＰＥ）に結合されたダウンストリーム受信モジュール（ＤＲｘ）であり、
前記制御モジュール（ＣＣＰＥ）のモデム記憶手段（ＤＭＳ）が、ダウンストリームビットローディングチャネル状態モデルであるビットローディングチャネル状態モデル（ＢＣＣＭＣＰＥ）を記憶するように構成されることを特徴とする請求項１５に記載の遠隔通信配置。
【請求項２５】
管理装置（ＭＧＣＰＥ）も、遠隔通信配置の顧客宅内装置（ＣＰＥ）側に配置され且つ前記モデム（ＭＣＰＥ）に結合され、
前記管理装置（ＭＧＣＰＥ）が、第２のダウンストリーム管理チャネル状態モデル（ＤＭＧＣＣＭＣＰＥ）である第２の管理チャネル状態モデルを記憶するように構成されたダウンストリーム管理記憶手段（ＬＤＮ）を有することを特徴とする請求項１６および２４に記載の遠隔通信配置。
【請求項２６】
管理装置（ＭＧＣＯ）が、遠隔通信配置の中央局（ＣＯ）側に配置されて、顧客宅内装置（ＣＰＥ）側に配置された前記モデム（ＭＣＰＥ）に前記通信回線（ＬＮ）を介して結合され、
前記管理装置が、第２のダウンストリーム管理チャネル状態モデル（ＤＭＧＣＣＭＣＯ）である前記第２の管理チャネル状態モデルを記憶するように構成されたダウンストリーム管理記憶手段（ＤＳＮ）を有することを特徴とする請求項１６および２４に記載の遠隔通信配置。
【請求項２７】
前記モデム（ＭＣＰＥ）の前記制御モジュール（ＣＣＰＥ）が、モデム記憶手段（ＤＭＳ）に記憶されたダウンストリームビットローディングチャネル状態モデル（ＢＣＣＭＣＰＥ）のフィードバック情報を、前記通信回線（ＬＮ）を介して前記管理装置（ＭＧＣＯ）に提供するように構成されることを特徴とする請求項２６に記載の遠隔通信配置。
【請求項２８】
前記モデム（ＭＣＯ）の前記制御モジュール（ＣＣＯ）が、モデム記憶手段（ＵＭＳ）に記憶されたアップストリームビットローディングチャネル状態モデル（ＢＣＣＭＣＯ）のフィードバック情報を、前記管理装置（ＭＧＣＯ）に提供するように構成されることを特徴とする請求項２３に記載の遠隔通信配置。
【請求項２９】
前記モデムが、適応デジタル加入者回線（ｘＤＳＬ）モデムであることを特徴とする請求項１に記載の遠隔通信配置。
【請求項３０】
前記第２の管理チャネル状態モデル（ＵＭＧＣＣＭ２；ＤＭＧＣＣＭＣＯ、ＤＭＧＣＣＭＣＰＥ）が、現時のビットローディングの前に管理装置（ＭＧＣＯ；ＭＧＣＰＥ）によってモデム（ＭＣＯ；ＭＣＰＥ）に転送されることを特徴とする請求項８に記載の遠隔通信配置。
【発明の詳細な説明】
【技術分野】
【０００１】
本発明は、制御モジュールに結合された受信モジュールを備えるモデムを含む、遠隔通信配置に関し、前記受信モジュールは、通信回線を介して少なくとも１つのチャネルを受信するように構成され、前記チャネルは、変更可能なビットロードを有する変調信号によりデータを伝送するように構成され、前記制御モジュールは、現時のビットローディングの直前にモデムによって実行される現時の測定に応じて、前記受信モジュールによって使用されるビットロードを変更するように構成される。
【背景技術】
【０００２】
異なるビットロード／データレートで動作可能なモデムを含む遠隔通信配置が、当技術分野で一般に知られている。そのような遠隔通信配置において、受信モジュールによって使用されるビットロード／データレートは、現時のチャネル状態測定に基づいており、その測定は、ある特定の時点で、一般には現時のビットローディングの直前に行われる。
【０００３】
「ビットロード」は、以下のように定義される。変調がベースバンド変調（ＢＢＭ）またはシングルキャリア変調（ＳＣＭ）である場合、ビットロードは、変調シンボル当たりの情報ビット数に対応し、変調タイムスロットまたはシグナリングタイムスロットとも呼ばれる。変調がマルチキャリア変調（ＭＣＭ）である場合、ビットロードは、搬送波毎の変調シンボル当たりの情報ビット数を記述する数の組に対応し、例えば、ＩＴＵ−Ｔ  Ｇ．９９２．３  Ｓｅｃｔｉｏｎ  ８．５で定義されるようなｂｉ配列に対応する。
【０００４】
ベースバンド変調（ＢＢＭ）は、最初に信号を搬送波に変調しない変調タイプであり、例えば、パルス振幅変調（ＰＡＭ）がある。シングルキャリア変調（ＳＣＭ）は、信号が単一の搬送波に変調される変調タイプであり、例えば、直交振幅変調（ＱＡＭ）、キャリアレスＡＭ−ＰＭ（ＣＡＰ）があり、そして、マルチキャリア変調（ＭＣＭ）は、複数の搬送波が使用される変調タイプであり、例えば、離散マルチトーン変調（ＤＭＴ）がある。これらの変調タイプは、当技術分野において一般に知られている。
【０００５】
ビットロードを決定するプロセスは、「ビットローディング」と呼ばれる。ビットローディングは、初期化でのように、完全なビットロードの決定とすることもでき、例えば、ＩＴＵ−Ｔ  Ｇ．９９２．１で定義されるような、「ショータイム（ｓｈｏｗｔｉｍｅ）」ビットスワッピングでのように、ビットロードの一部の決定とすることもでき、あるいは、例えば、ＩＴＵ−Ｔ  Ｇ．９９２．３で定義されるような、「ショータイム」オンライン再構成（ＯＬＲ）でのように、ビットロードの一部または完全なビットロードの決定とすることもできる。
【０００６】
「初期化」（トレーニングとも呼ばれる）とは、「ショータイム」直前の状態または期間のことであり、この間に、ショータイムを準備するため、モデム間で信号が交換されるが、ユーザデータは伝送されない。ショータイム（データ送信状態または定常状態とも呼ばれる）とは、モデムによってユーザデータが伝送される状態のことである。
【０００７】
チャネル状態とは、チャネルのあらゆる特性のことである。チャネルは、送信ユーザデータがモデムへの入力として与えられるインタフェースで開始し、通信回線の他端に接続されたモデムによって受信ユーザデータが出力として与えられるインタフェースで終了すると定義される。したがって、チャネルは、当技術分野でよく知られている、モデム機能ブロックの後に続く通信回線上に、回線インタフェース、アナログフロントエンド、アナログ−デジタル変換器、デジタル−アナログ変換器、送信および受信フィルタ、利得スケーラ、変調／復調、コンステレーション符号化／復号化、チャネル符号化／復号化、前方誤り訂正符号化／復号化、スクランブラ、ＣＲＣ生成および検証などを含む。そのため、チャネルのいずれかの機能ブロックで測定可能なあらゆるパラメータが、チャネル状態を構成する。従来技術で圧倒的に使用されているチャネル状態測定は、受信機で測定される信号対雑音比（ＳＮＲ）であり、ＭＣＭの場合は典型的には、搬送波毎に測定される。
【０００８】
知られている遠隔通信配置では、雑音状態が速く変化するチャネル上のモデムで問題が発生する。始動後、すなわちショータイム期間中に、例えば、近くに置かれたモデムが始動したことに起因する漏話のせいで、雑音環境が大きく変化した場合、新しい状態に適合させるため、ビットロードを変更しなければならないことがある。場合によっては、ショータイム期間中にビットロードを適合させる、そのようなプロセス（ビットスワッピングまたはＯＬＲなど）では十分でなく、再初期化が必要になることもある。こうした事態は、サービスを中断させ、顧客に混乱させることになる。
【０００９】
言い換えると、「従来」のビットローディングは、雑音環境の突然の変化を考慮できない。変化が大きすぎると、オンライン再構成では対処しきれず、唯一の選択は、接続を切断して、再初期化を実行することである。再初期化は、完全な初期化よりは短くできるにしても、必ずサービスを中断させる。
【００１０】
この問題を解決するため、当技術分野には様々な解決策が存在する。
【００１１】
本発明の好ましい実施形態では、モデムは適応ｘＤＳＬモデムであることを、最初に留意されたい。
【００１２】
そのようなモデムは、異なるビットロード／データレートで動作可能なデジタル加入者回線（ＤＳＬ）の一部となるモデムである。例えば、非対称デジタル加入者回線（ＡＤＳＬ）モデムや、超高速デジタル加入者回線（ＶＤＳＬ）モデムが、適応ｘＤＳＬモデムのタイプに属する。
【００１３】
すべてではないものの、上記の問題に対する知られている解決策の大部分は、適応ｘＤＳＬモデムに適用することができる。
【００１４】
初期化時にはなかった雑音レベルの急速な上昇に対するモデムの脆弱性を抑制するための第１の知られている解決策は、動作中に（すなわち、ショータイム時に）、ビット割り当て、および／またはデータレートを適応させることである。現在のマルチキャリアモデムでは、初期データレートおよび初期ビットロードは、初期化中に測定される搬送波当たりのチャネルＳＮＲに基づいて決定され、これは、現時の雑音状態に対応する時間的なスナップショットであるにすぎない。しかし、時間の経過とともに（ショータイム期間中に）、回線上の雑音状態は、（低下したＳＮＲマージンを有する）同じデータレートについての異なる形のビットロードを必要にするほど変化することがあり、データレートの低下を必要とすることすらある。雑音状態の遅い変化に対しては、ビットロードを適合させる方法が、ＡＤＳＬ規格およびＶＤＳＬ規格において、２つのやり方で、すなわち、例えば、ＡＤＳＬ  ＩＴＵ  Ｇ．９９２．１、ＡＤＳＬ２  ＩＴＵ  Ｇ．９９２．３、およびＡＮＳＩ  Ｔ１．４２４  ＭＣＭ  ＶＤＳＬに記載されている、ビットロードを変化させ、データレートは変化させないビットスワップと、それとは別の、例えば、ＡＤＳＬ２  ＩＴＵ  Ｇ．９９２．３に記載されている、ビットロードを変化させ、データレートも変化させるシームレスレート適合（ＳＲＡ）とで、定義されている。これらの方法はともに、「オンライン再構成」（ＯＬＲ）とも呼ばれる。
【００１５】
この第１の解決策は、変化が遅い雑音状態に対しては有効である。しかし、漏話の状況によっては、雑音状態が急速に変化することがあり、提案された解決策では遅すぎて、ビット誤りを回避でき、及び／または再初期化を回避できる時間内で反応することができない。すなわち、その原因となるのは、新たに電源が投入されたｘＤＳＬモデムからの漏話雑音が瞬時に増加することである。
【００１６】
初期化時にはなかった雑音レベルの急速な上昇に対するモデムの脆弱性を抑制するための第２の知られている解決策は、一定の最大データレートに対する事前決定された制限を使用することである。制限のレベルは、モデムの外部の手段によって決定されるが、初期化におけるビットローディングの前に、管理インタフェースを介してモデムに伝えられる。
【００１７】
ベースバンド変調（ＢＢＭ）またはシングルキャリア変調（ＳＣＭ）を使用するモデムでは、この第２の解決策によって、十分な制御を行うことができる。実際、モデムが固定帯域幅および適応コンステレーションサイズを使用する場合、最大データレートを制限することによって、シンボル当たりのビット最大数（すなわち、ＰＡＭまたはＱＡＭコンステレーションサイズ）が制限される。したがって、（例えば、所望のＳＮＲマージン、例えば、６ｄＢのもとで、所望のビット誤り率（ＢＥＲ）、例えば、１Ｅ−７を維持するためのような）最小必要ＳＮＲに関する上限に制限される。制限値は、最小必要ＳＮＲが、「最悪ケース」の雑音状態のとき発生する予想「最悪ケース」（すなわち最低）ＳＮＲ以下となるように選択される。このようなモデムの例として、ＩＴＵ−Ｔ  Ｖ．３２−ｂｉｓ音声帯域モデム規格を実施するモデムがある。
【００１８】
モデムが固定コンステレーションサイズおよび（固定送信電力を与えられた）適応帯域幅を使用する場合、データレートを制限することによって、帯域幅が制限され、したがって、送信ＰＳＤレベルの上昇となる。制限は、必要送信ＰＳＤレベルから固定必要ＳＮＲをマイナスした値が、「最悪ケース」の雑音状態のとき発生する予想「最悪ケース」雑音レベル以上になるように選択される。このようなモデムの例として、ＩＴＵ  ＳＨＤＳＬ  Ｇ．９９１．２勧告を実施するモデムがある。
【００１９】
ＡＮＳＩ  Ｔ１．４２４  ＳＣＭ  ＶＤＳＬ規格を実施するモデムは、レート適応ではなく、したがって、最大データレートの概念を有していることにさらに留意されたい。
【００２０】
しかし、マルチキャリア変調（ＭＣＭ）を使用するモデムでは、この第２の解決策によって、十分な制御を行うことはできない。実際、最大データレートを事前に制限することによって、ＭＣＭシンボル当たりのビット最大数が制限されるにすぎず、これは、
【数１】
2005278150.tif 000003
を使用してすべての搬送波にわたって足し合わせた、搬送波当たりのビット数ｂｉの合計値に関する制限であるにすぎない。これは、特定の搬送波（ｂｉ）毎のビット数を制限するものではないので、低い雑音状態での初期化中に、モデムが、いくつかの搬送波に高すぎるｂｉを割り当てるビットロードを決定し、雑音状態が急速に上昇するときに、それらの搬送波で「最悪ケース」ＳＮＲより高い必要ＳＮＲが必要になるような事態がおこり得る。初期化中の雑音スペクトル形状が、動作中に急速に上昇する雑音の形状と大きく異なれば異なるほど、脆弱性は高まり、過大なＢＥＲまたは再初期化の可能性も高まる。このようなモデムの例として、知られている（最新の）ＩＴＵ勧告ＡＤＳＬ  ＩＴＵ  Ｇ．９９２．１、Ｇ．９９２．２、Ｇ．９９２．３、Ｇ．９９２．４、Ｇ．９９２．５、またはＶＤＳＬ  ＡＮＳＩ  Ｔ１．４２４  ＭＣＭ規格のいずれかを実施するモデムがある。
【００２１】
この第２の知られている解決策は、ベースバンドモデム、シングルキャリアモデム、マルチキャリアモデムなど、ほとんどすべてのタイプのモデムで利用可能であることに留意されたい。
【００２２】
初期化時にはなかった雑音レベルの急速な上昇に対するモデムの脆弱性を抑制するための第３の知られている解決策は、最大コンステレーションサイズをコンステレーション当たりの一定の最大ビット数、すなわち、ＰＡＭまたはＱＡＭコンステレーションサイズに制限する、事前決定された（ただ１つの）制限を使用することである。制限のレベルは、モデムの外部の手段によって決定されるが、初期化におけるビットローディングの前に、管理インタフェースを介してモデムに伝えられる。
【００２３】
この第３の解決策は、上記の第２の解決策と同じであり、ベースバンド変調（ＢＢＭ）またはシングルキャリア変調（ＳＣＭ）を使用するモデムでは、この第３の解決策によって、十分な制御を行うことができる。
【００２４】
しかし、マルチキャリア変調（ＭＣＭ）を使用するモデムでは、この第３の解決策によって、十分な制御を行うことはできない。実際、コンステレーション当たりのビット数をただ１つの最大値に、例えば、ＢＩＭＡＸと呼ばれるＧ．９９２．１の限界値などに事前に制限する（ｍａｘ  ｂｉ≦ｌｉｍｉｔ）ことによっては、特定の搬送波（ｂｉ）毎のビット数を十分に制限することができない。これは、最大コンステレーションをもつ搬送波のｂｉを制限するにすぎず、これらの搬送波が、急速に変化する雑音レベルに対して脆弱な搬送波であるとは必ずしも限らない。より小さなコンステレーションをもつ搬送波も、急速に変化する雑音レベルの影響を受けることがある。言い換えると、最大ｂｉは、初期化中に大きなＳＮＲ値をもつ搬送波に影響をおよぼすが、それらの搬送波が、ショータイム中にＳＮＲが大きく変化する搬送波に一致するわけではない。
【００２５】
このような不完全な例として、知られている（最新の）ＩＴＵ勧告ＡＤＳＬ  ＩＴＵ  Ｇ．９９２．１、Ｇ．９９２．２、Ｇ．９９２．３、Ｇ．９９２．４、Ｇ．９９２．５、およびＶＤＳＬ  ＡＮＳＩ  Ｔ１．４２４  ＭＣＭ規格のいずれかを実施するモデムがある。ＢＩＭＡＸは、モデム送信機の設計段階で定められ、管理インタフェースを介して制御することはできない。
【００２６】
この第３の知られている解決策は、ベースバンドモデム、シングルキャリアモデム、マルチキャリアモデムなど、ほとんどすべてのタイプのモデムで利用可能であることに留意されたい。
【００２７】
初期化時にはなかった雑音レベルの急速な上昇に対するモデムの脆弱性を抑制するための第４の知られている解決策は、事前決定された（ただ１つの）目標ＳＮＲマージンを使用することである。この解決策では、データレートを決定するために初期化中に想定された雑音レベルは、初期化の現時の状態において測定された雑音レベルに等しいが、「目標ＳＮＲマージン」と呼ばれる一定の率で増加することができる。目標ＳＮＲマージンのレベルは、モデムの外部の手段によって決定されるが、初期化におけるビットローディングの前に、管理インタフェースを介してモデムに伝えられる。典型的には、目標ＳＮＲマージンは、「最悪ケース」雑音レベルから最良ケース雑音レベルをマイナスした値以上になるように選択される。そうすることによって、想定雑音レベルが、「最悪ケース」雑音レベルより常に高くなる。やはり、この解決策も、ベースバンドモデム、シングルキャリアモデム、マルチキャリアモデムなど、ほとんどすべてのタイプのモデムで利用可能である。このようなモデムの例として、ＩＴＵ  ＳＨＤＳＬ  Ｇ．９９１．２勧告、個別にＡＮＳＩ  Ｔ１．４２４  ＳＣＭ  ＶＤＳＬ規格、および個別に最新のＩＴＵ勧告ＡＤＳＬ  ＩＴＵ  Ｇ．９９２．ｘ、またはＡＮＳＩ  Ｔ１．４２４  ＭＣＭ  ＶＤＳＬ規格をそれぞれ実施するモデムがある。この第４の知られている解決策は、ＡＤＳＬモデム用に今日最も多く使用されている。
【００２８】
「最悪ケース」という言葉は、厳密な意味で使用しているのではないことに留意されたい。例えば、いついかなる時も、またはネットワーク全体のすべての回線において、常に「最悪ケース」であることを意味しているわけではない。この語は、例えば、一定の所定の期間にわたり、またはネットワークのサブセットについて、リンクが許容可能な安定性をもつような、オペレータが許容可能であると見なすような、所定の許容可能な尤度で発生するチャネル状態のケースに相当する。
【００２９】
この第４の解決策は、今日最も多く使用されている。しかし、以下で述べるようないくつかの状況には適さない。
【００３０】
この第４の知られている解決策は、例えば、同じケーブル上の他の対のｘＤＳＬシステムに電源を入れたときに上昇する漏話のような、雑音レベルが急速に上昇し、その後（無視できない時間）、高いレベルで安定するような雑音タイプには適さない。このタイプの雑音の場合、「最悪ケース」の雑音状態のときに、初期化／再初期化が行われることは明らかである。このような「最悪ケース」の雑音レベルを超える高い目標ＳＮＲマージンを設定することは不必要であり、そのようなことをすると、データレートが大きく損なわれる。
【００３１】
これは、例えば、ＡＤＳＬリンクにツイストペアケーブルが使用され、ユーザが各自のＡＤＳＬモデムにまだ電源を入れていないような場合である。その場合、ケーブルのＡＤＳＬ漏話レベルは存在しない。雑音レベルは、バックグラウンド雑音レベルに等しい。最初に電源が入れられたＡＤＳＬモデムは、初期化中に、このバックグラウンド雑音レベルを検知する。しかし、新たにＡＤＳＬモデムに電源が入れられるたびに、漏話レベルは上昇する。この最初のリンクが動作している間に、ユーザ数が、例えば、１人から５０人に増加すると、チャネル漏話は、最悪ケースの最大値にまで上昇する。表１に、雑音源ＡＤＳＬモデムが５０台である場合に、−１４０ｄＢｍ／Ｈｚのバックグラウンド雑音から、遠端漏話（ＦＥＸＴ）に対応するレベルまで雑音が上昇したときの、雑音レベルの上昇分Δの近似値を示す。
【表１】
2005278150.tif 000004
【００３２】
目標ＳＮＲマージンによる解決策の場合、この最初のユーザが安定して動作でき、雑音増加に耐えるようにするために、オペレータは、この雑音レベル上昇分に少なくとも等しいほどの大きな目標ＳＮＲマージンを割り当てなければならない。表から分かるように、安定動作のために設定しなければならないＳＮＲマージンは、提供するデータレートが大きくなるほど増加する。
【００３３】
他のすべての（例えば、４９人の）ユーザがすでに接続状態にあるときに、１人のユーザが接続する場合、雑音はすでに最大値に達しており、それ以上上昇しない。この場合、大きなＳＮＲマージンを設定することは必要ではない。しかし、オペレータは、ユーザが電源を入れた順番を知らないので、すべてのユーザに１つの目標ＳＮＲマージンを割り当てなければならない。したがって、この大きな目標ＳＮＲマージンが、最後のユーザにも同じように割り当てられる。その結果、最後のユーザは、過度のデータレートの低下を経験する。例えば、３０００ｍの場合、ＳＮＲマージンは１８ｄＢに設定される。表１に示すように、これは、通常の６ｄＢより１２ｄＢ高い。１２ｄＢの損失は、搬送波当たり４ビットに相当する。１ＭＨｚの帯域が使用できる場合、これは、４Ｍｂｐｓのデータレート低下に相当し、その結果、データレートは２Ｍｂｐｓまで低下する。
【００３４】
これは、インパルス雑音タイプ、すなわち、急速に上昇して下降する持続時間が非常に短い雑音にも適さない。持続時間が非常に短いため、初期化中の雑音測定結果に無視できる程度の影響しかおよぼさない。測定値は、定常雑音成分に対応するが、インパルス雑音中の「最悪ケース」ピーク電力レベルには対応しない、全測定期間にわたる平均雑音電力レベルを表すだけである。インパルス雑音と定常雑音とは、異なる別個の雑音源に由来するので、定常成分に関してＳＮＲマージンを設定することは、インパルス雑音に対処するには問題の多い解決策である。
【００３５】
これは、持続時間が短い雑音タイプ、すなわち、初期化中の雑音測定期間よりも持続時間が短い（例えば、１秒未満）雑音タイプにも適さない。測定値は、測定結果に何らかの影響をおよぼすが、短い持続時間を有する雑音中の「最悪ケース」ピーク電力レベルには影響をおよぼさない、全測定期間にわたる平均雑音電力レベルを表すだけである。このケースは、上記２つの雑音タイプの間に位置する雑音タイプであり、そのため、このケースの欠点は、上記２つの雑音タイプの欠点が混じったものとなる。
【００３６】
その一方で、この第４の解決策は、データレートの損失がまだ許容範囲内におさまるように、搬送波当たりの実雑音レベルが急速に小さく変化する場合には適している。
【００３７】
これは、例えば、温度効果などに起因する、搬送波ビット当たりの実雑音レベルが、遅く、しかしやや大きく変化し、平均雑音レベルでの変化はまだ小さい場合にも適している。この場合、オンライン再構成は、搬送波当たりのＳＮＲマージンが０より小さくなる前に、ビットスワップを用いて、ビットローディングを適応させることができる。しかし、平均ＳＮＲマージンは、まだゆっくりと低下する。平均雑音レベルの変化が小さいかぎり、目標ＳＮＲマージンを許容範囲内に維持することができる。
【００３８】
このような場合の例として、知られている（最新の）ＩＴＵ勧告ＡＤＳＬ  ＩＴＵ  Ｇ．９９２．１、Ｇ．９９２．２、Ｇ．９９２．３、Ｇ．９９２．４、Ｇ．９９２．５、およびＶＤＳＬ  ＡＮＳＩ  Ｔ１．４２４  ＭＣＭ規格のいずれかを実施するモデムがある。
【００３９】
初期化時にはなかった雑音レベルの急速な上昇に対するモデムの脆弱性を抑制するための第５の知られている解決策は、「最悪ケース」雑音状態中に発生する「最悪ケース」雑音レベルの事前決定されたモデルを使用することであり、この雑音レベルは、規格またはその他の設計資料で定められており、したがって、機器で定められている。この解決策は、データレート適応ＩＴＵ  ＳＨＤＳＬ  Ｇ．９９１．２モデムの分野でのみ知られており、予想「最悪ケース」雑音レベルのモデルは、このＩＴＵ規格で定められている（例えば、Ｇ．９９１．２の表Ａ−１３および表Ｂ−１４参照）。これが可能なのは、同じレートで動作するＳＨＤＳＬシステムからの自己近端漏話（ＮＥＸＴ）が支配的な漏話になり、電力が同じその他のｘＤＳＬタイプからの漏話よりも高くなるようにする、ダウンストリームおよびアップストリームで完全オーバラップスペクトルを使用する、対称ＤＳＬまたはＳＨＤＳＬの配置方法のためである。「最悪ケース」雑音モデルは、初期化におけるビットローディングの前に、管理インタフェースを介してモデムに伝えられず、この解決策を使用可能にすることだけが、管理インタフェースを介して制御される。
【００４０】
規格で定められた「最悪ケース」雑音レベルの事前モデルを使用する、この第５の知られている解決策を、マルチキャリアモデムに適用する際の問題点は、以下のとおりである。
【００４１】
−事前モデルの使用は、ＩＴＵ  ＳＨＤＳＬ  Ｇ．９９１．２規格でのみ定義されており、ＡＤＳＬモデム用には定義されていない。
【００４２】
−ＳＨＤＳＬは、使用不能または使用可能のどちらかにしかできない、標準化された、固定の、非プログラム可能モデルである事前モデルの使用について説明しているにすぎない。
【００４３】
したがって、この第５の解決策は、ＡＤＳＬには適さない。実際、完全オーバラップスペクトルを使用するため、自己漏話が最悪雑音状態を決定するＳＨＤＳＬとは異なり、ＡＤＳＬのＦＤＭ構成は、ＡＤＳＬの自己漏話がしばしば、その他のｘＤＳＬからの漏話よりもはるかに低くなるような構成である。ケーブルまたは通信回線に存在するその他のｘＤＳＬ、および特定のネットワークで使用される様々なタイプのｘＤＳＬに対するこの依存性のため、単一事前モデルは適当ではない。
【発明の開示】
【発明が解決しようとする課題】
【００４４】
本発明の目的は、上記の知られているタイプのモデムを含み、できるだけ高いデータレートで長時間にわたる許容可能な動作安定性が得られるように、初期データレートおよび初期ビットロードが決定される、遠隔通信配置を提供することである。その結果、初期化時にはなかった雑音レベルの急速な上昇に対するモデムの脆弱性が抑制される。
【課題を解決するための手段】
【００４５】
本発明によれば、上記の目的は、前記制御モジュールがさらに、前記受信モジュールによって使用されるビットロードを、現時の測定とは独立のビットローディングチャネル状態モデルに応じても変更するように構成されることによって達成される。
【００４６】
そのように、前記受信モジュールによって使用されるビットロードは、チャネルの動作状態によって決定され、その結果、各特定のチャネル毎に最適化することができる。
【００４７】
上述の知られている第５の解決策は、従来技術のなかでは最も近いようにみえるが、現在のＡＤＳＬおよびＶＤＳＬでは使用されない。本発明は、プログラム可能であり、規格で固定されないモデルを使用し、そのため、例えば、ＡＤＳＬおよび／またはＶＤＳＬなどのＦＤＭ  ｘＤＳＬモデムに適したものとなる。
【００４８】
すでに述べたように、上述の知られている第５の解決策は、現在のＡＤＳＬおよびＶＤＳＬで最も多く使用されている。従来技術も同じ問題の解決を試みてはいるが、アルゴリズム方法はまったく異なっているので、本発明が従来技術に類似していると考えることはできない。さらに、本発明は、安定性を保証するために、データレートの過度の低下を招くことがない。
【００４９】
好ましい一実施形態においては、本発明は、前記ビットローディングチャネル状態モデルが、前記モデムによる測定を介して事前に取得した少なくとも１つの測定ビットローディングチャネル状態モデルに応じたものあることを特徴とする。
【００５０】
したがって、通信回線上に支配的な雑音が出現しても、この雑音は一般的には事前測定中に少なくとも一度は認識されているので、モデムが再初期化を要する可能性は小さくなる。事前測定は、先の初期化時のビットローディング前の測定とすることも、ショータイム中の先の（部分的または完全）ビットローディング前の測定とすることも、現時の測定（すなわち、現時のビットローディング直前の測定）の前の測定とすることもできる。さらに、ビットローディングを実行するとき、チャネル状態または測定のそれまでの履歴が何らかの形で考慮されるが、必ずしもそれまでのすべてのチャネル状態または測定の完全な履歴である必要はない。
【００５１】
変形形態においては、本発明の実施形態は、前記測定ビットローディングチャネル状態モデルが、前記チャネルの雑音レベルのモデルであることを特徴とする。
【００５２】
別の変形形態においては、本発明の実施形態は、前記測定ビットローディングチャネル状態モデルが、前記チャネルの信号対雑音比のモデルであることを特徴とする。
【００５３】
例えば、チャネル状態モデルは、おそらく各マルチキャリア変調（ＭＣＭ）搬送波周波数に対応する、等間隔の周波数点で測定された雑音レベルまたはＳＮＲレベルの表として提供されることができ、、等間隔または非等間隔な周波数点で測定された雑音レベルまたはＳＮＲレベルの表として提供されることができ、その他の周波数点に関する情報が所定の内挿法／外挿法によって取り出され、又は、雑音レベルまたはＳＮＲレベルをモデル化する事前定義された解析公式のパラメータの表として提供されることができ、または雑音レベルまたはＳＮＲレベルをモデル化する事前定義されたアルゴリズム方法で使用されるパラメータの表として提供されることができる。
【００５４】
さらに別の変形形態においては、本発明の実施形態は、前記測定ビットローディングチャネル状態モデルが、前記チャネルの実ビットロードのモデルであることを特徴とする。
【００５５】
例えば、チャネル状態モデルは、おそらく各マルチキャリア変調（ＭＣＭ）搬送波に対応する、等間隔の搬送波での実ビットロード値の表として提供されることができ、又は、等間隔または非等間隔な搬送波での実ビットロード値の表として提供されることができ、その他の搬送波の情報が所定の内挿法／外挿法によって取り出されるであり、又は、実ビットロード値をモデル化する事前定義された解析公式のパラメータの表として提供されることができ、または実ビットロード値をモデル化する事前定義されたアルゴリズム方法で使用されるパラメータの表として提供されることができる。
【００５６】
また、本発明の別の特徴的な変形形態においては、前記測定ビットローディングチャネル状態モデルが、前記チャネルの少なくとも１つのパラメータの数学的関数のモデルである。
【００５７】
例えば、そのような数学的操作は、解析公式またはアルゴリズム記述とすることができる。
【００５８】
さらに、本発明の提供された変形形態を任意に組み合わせることによって、チャネル状態モデルを決定できることは明白である。
【００５９】
本発明のさらなる特徴的な実施形態では、前記測定ビットローディングチャネル状態モデルが、前記チャネルの少なくとも１つのパラメータの「最悪ケース」チャネル状態のモデルである。
【００６０】
堅実な手法では、例えば、モデムは、それまで遭遇した最悪状態を使用する。モデムは、現時の状態とそれまで遭遇した最悪状態との平均値を利用することもできる。堅実性を下げた手法では、例えば、この「最悪ケース」は、所定の許容可能な尤度で発生するチャネル状態に対応する。一般に、モデムは、線形または非線形の数学的関数を、現時の状態および／または記憶された過去の状態に適用することができ、有限のまたは無制限に記憶の影響が持続する動的システムを利用することができる。
【００６１】
例えば、モデムは、「エージング」を利用することができ、最悪ケース状態は、後続のビットローディング中に、次第に重要性を失っていく。そのようにすれば、一時的な雑音事象または非常に稀な事象が、モデムに永続的に影響し続けることはない。場合によっては、一日の中の更新が行われる時刻が関与することもできる。高度な実施では、このようなことすら考慮することができる。
【００６２】
本発明の別の特徴的な実施形態では、前記ビットローディングチャネル状態モデルは、第１の管理チャネル状態モデルに応じたものであり、第１の管理チャネル状態モデルは、モデム外部の管理装置によってモデムに転送される第２の管理チャネル状態モデルに応じたものである。
【００６３】
このようにして、モデムは、第１の管理チャネル状態モデルを考慮しながら、ビットローディングを実行することができる。この第１の管理チャネル状態モデルは、モデム自体による測定を介して、モデムによって自動的に決定されることはない。この第１の管理チャネル状態モデルは、第２の管理チャネル状態モデルに応じたものであり、第２の管理チャネル状態モデルは、モデム外部のエンティティによって決定され、ビットローディングの前にモデムに送られる。
【００６４】
第２の管理チャネル状態モデルは、遠端側から管理される初期化時に、ローカル管理インタフェース（例えば、ＩＴＵ−Ｔ  Ｇ．９９７．１  Ｑ、またはＴ／Ｓインタフェース）を介して、および／または回線インタフェース（例えば、ＩＴＵ−Ｔ  Ｇ．９９２．３  Ｕインタフェース）を介して、モデムに送ることができる。
【００６５】
本発明の別の特徴的な変形形態では、前記管理チャネル状態モデルは、前記チャネルの雑音レベルのモデル、および／または前記チャネルの信号対雑音比のモデル、および／または前記チャネルの少なくとも１つのパラメータの数学的関数のモデルとすることができる。
【００６６】
例えば、管理チャネル状態モデルは、おそらく各マルチキャリア変調（ＭＣＭ）搬送波周波数に対応する、等間隔の周波数点で測定された雑音レベルまたはＳＮＲレベルの表として提供されることができ、又は、等間隔または非等間隔な周波数点で測定された雑音レベルまたはＳＮＲレベルの表として提供されることができ、その他の周波数点の情報が所定の内挿法／外挿法によって取り出され又は、雑音レベルまたはＳＮＲレベルをモデル化する事前定義された解析公式のパラメータの表として提供されることができ、または雑音レベルまたはＳＮＲレベルをモデル化する事前定義されたアルゴリズム方法で使用されるパラメータの表として提供することができる。
【００６７】
別の変形形態においては、本発明の実施形態は、前記第２の管理チャネル状態モデルが、マルチキャリア変調を使用するモデムの各搬送波の実ビットロードのモデルであることを特徴とする。
【００６８】
さらに別の変形形態においては、本発明の実施形態は、前記第２の管理チャネル状態モデルが、マルチキャリア変調（ＭＣＭ）を使用するモデムの各搬送波の最大許容ビットロードのモデルであることを特徴とする。
【００６９】
例えば、管理チャネル状態モデルは、おそらく各マルチキャリア変調（ＭＣＭ）搬送波に対応する、等間隔の搬送波での実ビットロード値または最大許容ビットロード値の表として提供されることができ、又は、等間隔または非等間隔な搬送波での実ビットロード値または最大許容ビットロード値の表として提供することができ、その他の搬送波の情報が所定の内挿法／外挿法によって取り出されるである、又は、実ビットロード値または最大許容ビットロード値をモデル化する事前定義された解析公式のパラメータの表として提供されることができ、または実ビットロード値または最大許容ビットロード値をモデル化する事前定義されたアルゴリズム方法で使用されるパラメータの表として提供することができる。
【００７０】
本発明のさらなる特徴的な実施形態においては、前記制御モジュールは、前記測定ビットローディングチャネル状態モデルに応じて、及び前記第１の管理チャネル状態モデルに応じて、前記ビットローディングチャネル状態モデルを記憶するように構成されたモデム記憶手段を含み、前記管理装置は、前記第２の管理チャネル状態モデルを記憶するように構成された管理記憶手段を有する。本発明のさらに別の特徴的な実施形態においては、前記ビットローディングチャネル状態モデルが、モデムの初期化フェーズ中に更新される。
【００７１】
代替的に、本発明の別の特徴的な実施形態においては、前記ビットローディングチャネル状態モデルが、ユーザデータが伝送されている間に更新される。
【００７２】
好ましくは、前記変調は、マルチキャリア変調（ＭＣＭ）とする。しかし、本発明の他の特徴的な実施形態においては、前記変調は、シングルキャリア変調（ＳＣＭ）またはベースバンド変調（ＢＢＭ）とすることができる。
【００７３】
言い換えると、本発明の特徴的な特徴は、データレートおよびビットロード適応マルチキャリア変調（ＭＣＭ）モデムとして最も優れた性能を発揮することができるが、データレート適応ベースバンドモデム、データレート適応シングルキャリア変調（ＳＣＭ）モデム、およびデータレートが固定されたビットロード適応マルチキャリア変調（ＭＣＭ）モデムにも適用することができる。
【００７４】
本発明の別の特徴的な実施形態においては、モデムが、遠隔通信配置の中央局側に配置され、前記モデムの受信モジュールが、前記モデムの制御モジュールに結合されたアップストリーム受信モジュールであり、前記制御モジュールのモデム記憶手段が、アップストリームビットローディングチャネル状態モデルであるビットローディングチャネル状態モデルを記憶するように構成される。
【００７５】
また本発明の別の特徴的な実施形態においては、管理装置も、遠隔通信配置の中央局側に配置されて、前記モデムに結合され、前記管理装置は、第２のアップストリーム管理チャネル状態モデルである第２の管理チャネル状態モデルを記憶するように構成されたアップストリーム管理記憶手段を有する。
【００７６】
また本発明の別の特徴的な実施形態においては、モデムが、遠隔通信配置の顧客宅内装置側に配置され、前記モデムの受信モジュールが、前記モデムの制御モジュールに結合されたダウンストリーム受信モジュールであり、前記制御モジュールのモデム記憶手段が、ダウンストリームビットローディングチャネル状態モデルであるビットローディングチャネル状態モデルを記憶するように構成される。
【００７７】
このようにして、本発明は、遠隔通信配置の中央局（ＣＯ）側に配置されるあらゆるモデムに適用され、また遠隔通信配置の顧客宅内装置（ＣＰＥ）側に配置されるあらゆるモデムにも適用される。
【００７８】
また本発明の別の特徴的な実施形態においては、管理装置も、遠隔通信配置の顧客宅内装置側に配置され且つ、前記モデムに結合され、前記管理装置が、第２のダウンストリーム管理チャネル状態モデルである第２の管理チャネル状態モデルを記憶するように構成されたダウンストリーム管理記憶手段を有する。
【００７９】
本発明の代替の特徴的な実施形態においては、管理装置が、遠隔通信配置の中央局側に配置されて、顧客宅内装置側に配置された前記モデムに前記通信回線を介して結合され、前記管理装置は、第２のダウンストリーム管理チャネル状態モデルである前記第２の管理チャネル状態モデルを記憶するように構成されたダウンストリーム管理記憶手段を有する。
【００８０】
このようにして、顧客宅内装置のモデムによって使用される第２の管理チャネル状態モデルは、初期化時に回線インタフェースを介して顧客宅内装置のモデムに送られるものとすることができる。このようにすることで、この第２の管理チャネル状態モデルを中央局の管理装置によって決定し、管理することができる。したがって、この方法は、ＣＰＥ装置の製造時に第２の管理チャネル状態モデルを固定的に定める必要がなく、顧客の介入も必要としないという利点を有する。中央局を統制するオペレータは、この第２の管理チャネル状態モデルを集中的かつ柔軟に制御することができる。
【００８１】
好ましい一実施形態においては、本発明は、前記モデムの前記制御モジュールが、モデム記憶手段に記憶されたダウンストリームビットローディングチャネル状態モデルのフィードバック情報を、前記通信回線を介して前記管理装置に提供するように構成されることを特徴とする。
【００８２】
このようにすることで、ダウンストリーム管理チャネル状態モデルを、このフィードバック情報またはその関数を使用して更新することができる。
【００８３】
別の実施形態においては、本発明は、前記モデムの前記制御モジュールが、モデム記憶手段に記憶されたアップストリームビットローディングチャネル状態モデルのフィードバック情報を、前記管理装置に提供するように構成されることを特徴とする。
【００８４】
このようにすることで、アップストリーム管理チャネル状態モデルを、このフィードバック情報またはその関数を使用して更新することができる。
【００８５】
受信モジュールを備える１つまたは複数のモデムを含む本発明の遠隔通信配置のさらなる特徴的な実施形態については、添付の特許請求の範囲に記載される。
【００８６】
特許請求の範囲で使用される「含む（ｃｏｍｐｒｉｓｉｎｇ）」という語は、その後に列挙される手段に限定する語として解釈すべきではないことに留意されたい。したがって、「手段ＡおよびＢを含む装置」という表現の範囲は、構成要素ＡとＢだけからなる装置に限定されるものではない。上記の表現は、本発明においては、装置の関連する構成要素がＡとＢだけであることを意味する。
【００８７】
同様に、特許請求の範囲で使用される「結合された（ｃｏｕｐｌｅｄ）」という語は、直接的な接続だけに限定する語として解釈すべきではないことに留意されたい。したがって、「装置Ｂに結合された装置Ａ」という表現の範囲は、装置Ａの出力が装置Ｂの入力に直接的に接続された装置またはシステムに限定されるものではない。上記の表現は、Ａの出力とＢの入力の間に、他の装置または手段を含むこともある経路が存在することを意味する。
【００８８】
以下の実施形態の説明を添付の図面を併せて読むことによって、本発明の上記およびその他の目的および特徴がより明瞭になり、発明自体を最もよく理解できるようになるであろう。
【発明を実施するための最良の形態】
【００８９】
図に示す遠隔通信配置は、好ましくは、中央局ＣＯと顧客宅内装置ＣＰＥとを相互接続する通信回線ＬＮを含む、デジタル加入者回線ｘＤＳＬ遠隔通信配置である。ＣＯとＣＰＥのどちらか、または両方はそれぞれ、少なくとも１つのモデムＭＣＯ、およびＭＣＰＥが設けられ、これらのモデムは、好ましくは、異なるデータレートおよびビットロードで動作可能な適応ｘＤＳＬモデムのタイプである。各モデムＭＣＯ／ＭＣＰＥはそれぞれ、変更可能なビットロードを有する変調信号によりデータを伝送するチャネルを受信するように構成された受信モジュールＵＲｘ／ＤＲｘを含む。中央局に配置されたモデムＭＣＯから顧客宅内に配置されたモデムＭＣＰＥに向うデータ伝送の方向は、ダウンストリーム方向と呼ばれる。アップストリームは、顧客宅内に配置されたモデムＭＣＰＥから中央局に配置されたモデムＭＣＯに向うデータ伝送の方向である。
【００９０】
「ビットロード」は、以下のように定義される。変調がベースバンド変調（ＢＢＭ）またはシングルキャリア変調（ＳＣＭ）である場合、ビットロードは、変調シンボル当たりの情報ビット数に対応し、変調または信号タイムスロットとも呼ばれる。変調がマルチキャリア変調（ＭＣＭ）である場合、ビットロードは、搬送波毎の変調シンボル当たりの情報ビット数を記述する数の組に対応し、例えば、ＩＴＵ−Ｔ  Ｇ．９９２．３  ｓｅｃｔｉｏｎ  ８．５で定義されるようなｂｉ配列に対応する。
【００９１】
ベースバンド変調（ＢＢＭ）は、最初に信号を搬送波に変調しない変調タイプであり、例えば、パルス振幅変調（ＰＡＭ）がある。シングルキャリア変調（ＳＣＭ）は、信号が単一の搬送波に変調される変調タイプであり、例えば、直交振幅変調（ＱＡＭ）、キャリアレスＡＭ−ＰＭ（ＣＡＰ）がある。マルチキャリア変調（ＭＣＭ）は、複数の搬送波が使用される変調タイプであり、例えば、離散マルチトーン変調（ＤＭＴ）がある。これらの変調タイプは、当技術分野において一般に知られている。
【００９２】
ビットロードを決定するプロセスは、「ビットローディング」と呼ばれる。ビットローディングは、初期化でのように、完全なビットロードの決定とすることもでき、例えば、ＩＴＵ−Ｔ  Ｇ．９９２．１で定義されるような、「ショータイム」ビットスワッピングでのように、ビットロードの一部の決定とすることもでき、あるいは、例えば、ＩＴＵ−Ｔ  Ｇ．９９２．３で定義されるような、「ショータイム」オンライン再構成（ＯＬＲ）でのように、ビットロードの一部または完全なビットロードの決定とすることもできる。
【００９３】
「初期化」（トレーニングとも呼ばれる）とは、「ショータイム」直前の状態（または期間）であり、この間に、ショータイムを準備するため、モデム間で信号が交換されるが、ユーザデータは伝送されない。ショータイム（データ送信状態または定常状態とも呼ばれる）とは、モデムによってユーザデータが伝送される状態のことである。「初期化」および「ショータイム」という用語は、ＩＴＵ−Ｔ  Ｇ．９９２．１およびＧ．９９２．３でも使用されている。
【００９４】
それぞれＣＯ／ＣＰＥのモデムＭＣＯ／ＭＣＰＥの受信モジュールＵＲｘ／ＤＲｘは、関連する受信モジュールによって使用されるビットロードを、現時のビットローディングの直前にモデムＭＣＯ／ＭＣＰＥによって実行されるチャネル状態の現時の測定に応じて変更することができる、制御モジュールＣＣＯ／ＣＣＰＥに結合される。さらに、制御モジュールＣＣＯ／ＣＣＰＥは、このビットロードを、現時の測定とは独立したビットローディングチャネル状態モデルＢＣＣＭＣＯ／ＢＣＣＭＣＰＥに応じて変更することもできる。
【００９５】
チャネル状態とは、チャネルのあらゆる特性のことである。チャネルは、送信されるべきユーザデータがモデムへの入力として与えられるインタフェースで開始し、通信回線ＬＮの他端に接続されたモデムによって受信されたユーザデータが出力として与えられるインタフェースで終了すると定義される。したがって、チャネルは、通信回線に接して、当技術分野でよく知られている、モデム機能ブロックの後に続き、回線インタフェース、アナログフロントエンド、アナログ−デジタル変換器、デジタル−アナログ変換器、送信および受信フィルタ、利得スケーラ、変調／復調、コンステレーション符号化／復号化、チャネル符号化／復号化、前方誤り訂正符号化／復号化、スクランブラ、ＣＲＣ生成および検証などを含む。そのため、チャネルのいずれかの機能ブロックで測定可能なあらゆるパラメータが、チャネル状態を構成する。従来技術で広く使用されているチャネル状態測定は、受信機で測定される信号対雑音比（ＳＮＲ）であり、ＭＣＭの場合は典型的には、搬送波毎に測定される。
【００９６】
この説明では、いくつかのラベルに付された接尾辞ＣＯおよびＣＰＥは一般に、それぞれ、対応する対象物が属する中央局ＣＯおよび顧客宅内装置ＣＰＥを表すことに留意されたい。
【００９７】
本通信配置においては、現時の測定とは独立のビットローディングチャネル状態モデルＢＣＣＭＣＯ／ＢＣＣＭＣＰＥは、モデムによる測定を通して事前に得られる１つまたは複数の測定ビットローディングチャネル状態モデルＵＭＣＣＭ／ＤＭＣＣＭに応じてあるか、第１の管理チャネル状態モデルＵＭＧＣＣＭ１／ＤＭＧＣＣＭに応じてであるか、またはその両方の組み合わせであり、第１の管理チャネル状態モデルＵＭＧＣＣＭ１／ＤＭＧＣＣＭは、それ自体が、現時のビットローディングの前に、モデムに結合されたしかし外部の管理装置ＭＧＣＯ／ＭＧＣＰＥによってモデムＭＣＯ／ＭＣＰＥに転送される、第２の管理チャネル状態モデルＵＭＧＣＣＭ２／ＤＭＧＣＣＭＣＯ、ＤＭＧＣＣＭＣＰＥに応じたものである。
【００９８】
より詳細には、それぞれＣＯ／ＣＰＥの制御モジュールＣＣＯ／ＣＣＰＥは、測定を通して事前に得られる測定ビットローディングチャネル状態モデルＵＭＣＣＭ／ＤＭＣＣＭに応じて、及び第２の管理チャネル状態モデルＵＭＧＣＣＭ２／ＤＭＧＣＣＭＣＯ、ＤＭＧＣＣＭＣＰＥに応じた、第１の管理チャネル状態モデルＵＭＧＣＣＭ１／ＤＭＧＣＣＭに応じて、ビットローディングチャネル状態モデルＢＣＣＭＣＯ／ＢＣＣＭＣＰＥを記憶するように構成されたモデム記憶手段ＵＭＳ／ＤＭＳを含む。管理装置ＭＧＣＯ／ＭＧＣＰＥは、第２の管理チャネル状態モデルＵＭＧＣＣＭ２、ＤＭＧＣＣＭＣＯ／ＤＭＧＣＣＭＣＰＥを記憶するように構成された管理記憶手段ＵＳＮ、ＤＳＮ／ＬＤＮを有する。
【００９９】
一方で、遠隔通信配置の中央局ＣＯ側に配置されるモデムＭＣＯの受信モジュールは、モデムＭＣＯの制御モジュールＣＣＯに結合されるアップストリーム受信モジュールＵＲｘである。制御モジュールＣＣＯのモデム記憶手段ＵＭＳは、アップストリームビットローディングチャネル状態モデルＢＣＣＭＣＯであるビットローディングチャネル状態モデルを記憶することができる。好ましくは、管理装置ＭＧＣＯも、中央局ＣＯに配置され、第２のアップストリーム管理チャネル状態モデルＵＭＧＣＣＭ２である第２の管理チャネル状態モデルを記憶するためのアップストリーム管理記憶手段ＵＳＮを有する。このアップストリームビットローディングチャネル状態モデルＢＣＣＭＣＯの測定ビットローディングチャネル状態モデルおよび第１の管理チャネル状態モデルはそれぞれ、アップストリーム測定ビットローディングチャネル状態モデルＵＭＣＣＭ及び第１のアップストリーム管理チャネル状態モデルＵＭＧＣＣＭ１である。
【０１００】
他方、遠隔通信配置の顧客宅内装置ＣＰＥ側に配置されるモデムＭＣＰＥの受信モジュールは、モデムＭＣＰＥの制御モジュールＣＣＰＥに結合されるダウンストリーム受信モジュールＤＲｘである。制御モジュールＣＣＰＥのモデム記憶手段ＤＭＳは、ダウンストリームビットローディングチャネル状態モデルＢＣＣＭＣＰＥであるビットローディングチャネル状態モデルを記憶することができる。このダウンストリームビットローディングチャネル状態モデルＢＣＣＭＣＰＥの測定ビットローディングチャネル状態モデルおよび第１の管理チャネル状態モデルはそれぞれ、ダウンストリーム測定ビットローディングチャネル状態モデルＤＭＣＣＭ及び、第１のダウンストリーム管理チャネル状態モデルＤＭＧＣＣＭである。
【０１０１】
第１の代替構成においては、管理装置ＭＧＣＰＥも、顧客宅内装置ＣＰＥに配置され、モデムＭＣＰＥに直接結合される。そして、管理装置ＭＧＣＰＥは、第２のダウンストリーム管理チャネル状態モデルＤＭＧＣＣＭＣＰＥである第２の管理チャネル状態モデルを記憶するためのダウンストリーム管理記憶手段ＬＤＮを有する。
【０１０２】
第２の代替構成においては、管理装置ＭＧＣＯは、中央局ＣＯに配置され、顧客宅内装置ＣＰＥに配置されたモデムＭＣＰＥに通信回路ＬＮを介して結合される。そして、管理装置ＭＧＣＯは、ＣＣＰＥによって使用される第２の管理チャネル状態モデルを、第２のダウンストリーム管理チャネル状態モデルＤＭＧＣＣＭＣＯとして記憶するためのダウンストリーム管理記憶手段ＤＳＮを有する。
【０１０３】
モデムＭＣＰＥの管理モジュールＣＣＰＥが、モデム記憶手段ＤＭＳに記憶されたダウンストリームビットローディングチャネル状態モデルＢＣＣＭＣＰＥのフィードバックビットロード情報を、管理装置ＭＧＣＯに通信ラインＬＮを介して提供できることに留意されたい。
【０１０４】
代替として、モデムＭＣＯの管理モジュールＣＣＯは、モデム記憶手段ＵＭＳに記憶されたダウンストリームビットローディングチャネル状態モデルＢＣＣＭＣＯのフィードバック情報を、管理装置ＭＧＣＯに提供することができる。
【０１０５】
本発明のｘＤＳＬ遠隔通信配置で可能な様々な動作のうちのいくつかを、以下で説明する。
【０１０６】
１つの可能な動作方法において、モデムのビットローディング機能は、事前に取得した測定に基づいたチャネル状態モデルを使用する。この履歴ベースのビットローディング方法では、ビットローディングを実行するとき、チャネル状態または測定のそれまでの履歴が、１つの又は他の形で考慮される。これは、それまでのすべてのチャネル状態または測定の完全な履歴を必要とはしない。
【０１０７】
この履歴ベースの方法では、一般に、初期化時には存在しない可能性のある支配的な雑音源の出現に備えて準備をしておくことができる。モデムは、履歴から、初期化時には妨害が存在しない場合であっても、ある特定の周波数で大きな妨害が出現する可能性があると決定することができる。予防策として、影響される周波数では、測定ＳＮＲが許容するよりも、対応する搬送波のビットロードを低い値に（またはＳＮＲマージンを高く）設定することができる。このようにすると、初期化時には控えめなビットロードに見えるかもしれないが、その後の再初期化を予防できるようになる。したがって、接続の安定性が向上する。
【０１０８】
第２の動作方法において、モデムのビットローディング機能は、例えば、ｘＤＳＬ回線のネットワークを構成し、監視し、保守するためにｘＤＳＬアクセスプロバイダによって使用される管理ステーションなど、モデム外部の管理装置によって管理されるチャネル状態モデルを使用する。一般に、管理チャネル状態モデルは、この外部管理エンティティによって決定された事前モデルであり、ビットローディングの前にモデムに送られる。モデルは送られて来るので、（ＩＴＵ−Ｔ  Ｇ．９９１．２のような）装置規格で定める必要はなく、プログラム可能とすることができる。チャネル状態モデルは、遠端側から管理される初期化時に、ローカル管理インタフェース（例えば、ＣＯ側でのＧ．９９７．１  Ｑインタフェース、またはＣＰＥ側でのＴ／Ｓインタフェース）を介して、および／または回線インタフェース（例えば、Ｇ．９９２．３  Ｕインタフェース）を介して、モデムに送られることが可能である。回線インタフェースを介したこの通信は、初期化の第１段階として、ＩＴＵ−Ｔ  Ｇ．９９４．１ハンドシェイク手順を使用することによって実行することができる。これは、Ｇ．９９４．１の非規格情報フィールド（ＮＳＩＦ）を使用することによって、またはＧ．９９４．１規格の今後の更新で定義されるフィールドを介して実行することができる。特に、ＣＯからＣＰＥへの通信では、Ｇ．９９４．１  ＣＬメッセージを使用することができる。
【０１０９】
好ましい特定の一実施形態においては、チャネル状態モデルは、「最悪ケース」雑音レベルの事前モデルである。
【０１１０】
この実施形態の第１の変形は、規格では定められていないが、プログラム可能であり、初期化開始前に、例えば、中央モデムＭＣＯなどのモデムに送られる、「最悪ケース」雑音レベルの事前モデルの使用である。モデルは、ダウンストリームとアップストリームとで異なるものとすることができる。アップストリーム方向のモデルは、管理インタフェースを介して中央モデムＭＣＯに送られ、中央モデムＭＣＯで局所的に使用される。ダウンストリーム方向のモデルは、最初に管理インタフェースを介して中央モデムＭＣＯに送られてから、ダウンストリームビットロードの決定前に、初期化の第１段階の１つで（例えば、ＩＴＵ−Ｔ  Ｇ．９９４．１ハンドシェイクを使用して）、中央モデムＭＣＯによってリモートモデムＭＣＰＥに送られ、リモートモデムＭＣＰＥによって使用される。
【０１１１】
初期化中に、受信機ＵＲｘおよびＤＲｘは、初期データレートと初期ビットロードを決定するために、それぞれの「最悪ケース」雑音レベルのモデルを測定受信信号レベルと一緒に使用して、「最悪ケース」チャネル信号対雑音比ＳＮＲを、例えば、マルチキャリア変調ＭＣＭモデムであれば、搬送波当たりのＳＮＲを決定する。
【０１１２】
この事前「最悪ケース」雑音モデルは、想定「最悪ケース」雑音レベルを決定するための情報を含み、
−一般にあらゆるタイプのモデムについては、完全な周波数範囲にわたって、または周波数範囲の部分にわたって、おそらく使用通過帯域外の周波数範囲も含み、
−特にＭＣＭモデムについては、ＭＣＭ搬送波毎のフォーマットで、情報を伝送することができる。
【０１１３】
「最悪ケース」雑音モデルの記述には、様々なフォーマットを利用することができる。そのいくつかの例として、
−規格において定義される解析公式で、公式用にパラメータだけがモデムに送られるもの、
−規格において定義されるアルゴリズム記述で、アルゴリズム用にパラメータだけがモデムに送られるもの、
−おそらく各ＭＣＭ搬送波周波数に対応する等間隔の周波数点での雑音レベルの表、又は、
−等間隔または非等間隔な点での雑音レベルの表で、その他の周波数点に関する情報が、いくつかの所定の内挿法／外挿法によって取り出されるもの、がある。
【０１１４】
上記のフォーマットを組み合わせると役立つことがある。近端漏話（ＮＥＸＴ）は、近似的に回線長とは無関係なので、絶対数で（例えば、ｄＢｍ／Ｈｚで）表した雑音レベルの表としてモデル化し、送ることができる。遠端漏話（ＦＥＸＴ）の場合は、パラメータを用いた解析公式の手法が、より適しているように思える。解析公式は、ＦＥＸＴ結合関数のモデルを有する等価な雑音源の周波数領域（ＰＳＤ）プロファイルの積とすることができる。このＦＥＸＴ結合関数モデルは、ＥＴＳＩ  ＴＳ  １０１  ３８８  Ｖ１．３．１（２００２−０２）  ｓｅｃｔｉｏｎ  ５．３．２の式Ｈ２（ｆ）とすることができ、送られるパラメータは、この式で使用される定数（基準周波数ｆ０、基準長Ｌ０、定数Ｋｘｆ、またはこれらの組み合わせ）である。回線長Ｌおよび伝達関数ＳＴ０の大きさは、受信モデムによって決定することができるので、送る必要はない。基準雑音源の周波数領域ＰＳＤプロファイルも、解析公式のパラメータであり、送る必要がある。例えば、フォーマットをＰＳＤレベルの表とし、ＥＴＳＩ  ＴＳ  １０１  ３８８  Ｖ１．３．１（２００２−０２）  ｓｅｃｔｉｏｎ  ５．３．４．１．１にあるようにブレークポイントを設定することができる。
【０１１５】
「最悪ケース」という語は、厳密な意味で使用しているのではないことに留意されたい。例えば、いついかなる時も、またはネットワーク全体のすべての回線において、常に「最悪ケース」であることを意味しているわけではない。この語は、オペレータが許容可能であると見なす雑音状態、例えば、ネットワークのサブセットについて、ある所定の期間にわたって、リンクが許容可能な安定性をもち、例えば、ＥＴＳＩ  ＴＳ  １０１  ３８８  Ｖ１．３．１（２００２−０２）  ｓｅｃｔｉｏｎ  ５．３．４．１のＥＴＳＩ  ＦＡ雑音モデルなど、許容可能な尤度で発生する雑音状態のケースに相当する。
【０１１６】
第２の変形においては、両方の受信機は、ショータイム期間中、すなわち、初期化フェーズ後の「最悪ケース」雑音レベルのそれぞれのモデルを、継続的に測定される受信信号レベルとともに使用して、ビットローディングおよび／またはデータレートを適応させる必要性を決定するため、「最悪ケース」チャネルＳＮＲを、例えば、ＭＣＭモデムにおける搬送波当たりのＳＮＲなどを、継続的に決定する。
【０１１７】
ｘＤＳＬ回線の場合、ツイストペア上の減衰および信号レベルは、遅い変動だけを有すると予想されることに留意されたい。したがって、ＩＴＵ−Ｔ  Ｇ．９９２．１およびＧ．９９２．３のビットスワッピング、および／またはＩＴＵ−Ｔ  Ｇ．９９２．３のシームレスレート適合（ＳＲＡ）、すなわち、ＩＴＵ−Ｔ  Ｇ．９９２．３のオンライン再構成の方式など、知られている遅い方法は、現時のＳＮＲの代わりに最悪ケースのチャネルＳＮＲが使用される場合、再び適切性を取り戻す。
【０１１８】
知られている従来技術のＩＴＵ−Ｔ  Ｇ．９９１．２  ＳＨＤＳＬモデルは、ショータイム期間中にビットロードを適応させないことにも留意されたい。
【０１１９】
第３の変形においては、事前雑音モデルは、必ずしも「最悪ケース」雑音レベルに対応せず、初期化中に、両方の受信機は、それぞれの雑音モデルから得た雑音レベルを、現時の状態の初期化中に測定された雑音レベルと合成する。こうすることによって、初期データレートおよび初期ビットロードを決定するため、測定された受信信号レベルとともに、等価なチャネルＳＮＲを、例えば、ＭＣＭモデムにおける搬送波当たりのＳＮＲなどを、取得することができる。２つの雑音レベルは、電力の加算、２つのうち大きいほうのレベルなどの、任意の方法によって合成することができる。
【０１２０】
この第３の変形の代替においては、両方の受信機は、ショータイム期間中に、それぞれの雑音モデルから得た雑音レベルを、ショータイム期間中に継続的に測定される雑音レベル、および継続的に測定される受信信号レベルと合成する。こうすることによって、ビット割り当ておよび／またはデータレートを適応させる必要性を決定するため、等価なチャネルＳＮＲを、例えば、ＭＣＭモデムにおける搬送波当たりのＳＮＲなどを、継続的に取得することができる。
【０１２１】
この第３の変形の別の代替においては、両方の受信機は、３つのソース、すなわち、（初期化時または継続的にショータイム期間中の）現時の測定、履歴ベースのチャネル状態モデル、および管理チャネル状態モデルから得られる雑音レベルを合成する。継続的に測定される受信信号レベルとを用いることによって、ビット割り当ておよび／またはデータレートを適応させる必要性を決定するため、等価なチャネルＳＮＲを、例えば、ＭＣＭモデムにおける搬送波当たりのＳＮＲなどを、継続的に取得することができる。
【０１２２】
この場合もやはり、ツイストペア上の信号レベルは遅い変動だけを有すると予想されるので、ＩＴＵ−Ｔ  Ｇ．９９２．１およびＧ．９９２．３のビットスワッピング、および／またはＩＴＵ−Ｔ  Ｇ．９９２．３のシームレスレート適合（ＳＲＡ）、すなわち、ＩＴＵ−Ｔ  Ｇ．９９２．３のオンライン再構成（ＯＬＲ）の方式など、知られている遅い方法は、この目的のために適している。
【０１２３】
さらに別の変形においては、事前モデルは、雑音レベルの代わりに、信号対雑音比ＳＮＲレベルに基づく。この変形は、ｘＤＳＬモデムに適用することができる。
【０１２４】
また別の変形においては、事前モデルは、雑音レベルの代わりに、各搬送波の最大許容ビット数（ｂｉ＿ｍａｘ（ｉ））についてのモデルである。しかし、この変形は、ＭＣＭ  ｘＤＳＬモデムに適用するために確保されている。現在の規格ＩＴＵ−Ｔ  Ｇ．９９２．１およびＧ．９９２．３は、リモート送信機によって制御されるが、中央モデムの管理インタフェースを介して制御できない、すべての搬送波でただ１つの数ＢＩＭＡＸのみを有する。
【０１２５】
代替として、事前モデルは、雑音レベルの代わりに、各搬送波の実ビットローディングについてのモデルとすることができる。この変形も、ＭＣＭ  ｘＤＳＬモデムに適用するために確保されている。現在の規格ＩＴＵ−Ｔ  Ｇ．９９２．１およびＧ．９９２．３は、受信機によって制御されるが、中央モデムの管理インタフェースを介して制御できない、ビットローディングを有するだけである。
【０１２６】
この最後の３つの変形は、例えば、無線送信など、受信信号レベルが急速に変化するチャネルにも適用できることに留意されたい。
【０１２７】
管理チャネル状態モデルを使用する第２の動作方法のさらなる変形において、フィードバック情報は、ＣＰＥおよびＣＯによって、中央管理装置に提供することができる。現在の規格のいくつかが、例えば、ＩＴＵ−Ｔ  Ｇ．９９２．３  ｓｅｃｔｉｏｎ  ８．１２．３のデュアルエンデッド回線テストパラメータ、またはＩＴＵ−Ｔ  Ｇ．９９７．１  ｓｅｃｔｉｏｎ  ７．２  Ｐｅｒｆｏｒｍａｎｃｅ  Ｍｏｎｉｔｏｒｉｎｇ  Ｆｕｎｃｔｉｏｎｓのパフォーマンスモニタリング関数など、ＣＯの管理エンティティによって返送されるいくつかの情報をすでに定義している。この情報は、フィードバックを、このフィードバック情報に基づいて更新できる管理チャネル状態モデルに適用するために使用することができる。
【０１２８】
上では本発明の実施形態を機能ブロックの観点から説明していることを最後に述べておく。上で行ったそれらのブロックの機能説明から、それらのブロックの実施形態を、よく知られている電子部品を用いてどのように製造するかは、電子装置設計分野の当業者には明らかであろう。したがって、機能ブロックの内容の詳細な構成については説明しない。
【０１２９】
これまで本発明の原理を具体的な装置に関連させて説明してきたが、本明細書の説明は例として行ったにすぎず、添付の特許請求の範囲で画定される本発明の範囲を限定するものとして行ったのではないことを明確に理解されたい。
【図面の簡単な説明】
【０１３０】
【図１】本発明によるモデムを含む遠隔通信配置を示す図である。
【符号の説明】
【０１３１】
ＢＣＣＭＣＯ、ＢＣＣＭＣＰＥ  ビットローディングチャネル状態モデル
ＣＣＯ、ＣＣＰＥ  制御モジュール
ＣＯ  中央局
ＣＰＥ  顧客宅内装置
ＬＮ  通信回線
ＭＣＯ、ＭＣＰＥ  モデム
ＭＧＣＯ、ＭＧＣＰＥ  管理装置
ＵＭＣＣＭ、ＤＭＣＣＭ  測定ビットローディングチャネル状態モデル
ＵＭＧＣＣＭ１、ＤＭＧＣＣＭ  第１の管理チャネル状態モデル
ＵＭＧＣＣＭ２、ＤＭＧＣＣＭＣＯ、ＤＭＧＣＣＭＣＰＥ  第２の管理チャネル状態モデル
ＵＭＳ、ＤＭＳ  モデム記憶手段
ＵＲｘ、ＤＲｘ  受信モジュール
ＵＳＮ、ＤＳＮ、ＬＤＮ  管理記憶手段
【図１】
2005278150.tif 000005
【外国語明細書】
2005278150.tif 000006
2005278150.tif 000007
2005278150.tif 000008
2005278150.tif 000009
2005278150.tif 000010
2005278150.tif 000011
2005278150.tif 000012
2005278150.tif 000013
2005278150.tif 000014
2005278150.tif 000015
2005278150.tif 000016
2005278150.tif 000017
2005278150.tif 000018
2005278150.tif 000019
2005278150.tif 000020
2005278150.tif 000021
2005278150.tif 000022
2005278150.tif 000023
2005278150.tif 000024
2005278150.tif 000025
2005278150.tif 000026
2005278150.tif 000027
2005278150.tif 000028
2005278150.tif 000029
2005278150.tif 000030
2005278150.tif 000031
2005278150.tif 000032
2005278150.tif 000033
2005278150.tif 000034
2005278150.tif 000035
2005278150.tif 000036
2005278150.tif 000037
2005278150.tif 000038
2005278150.tif 000039
2005278150.tif 000040
2005278150.tif 000041
2005278150.tif 000042